(57)【要約】【課題】簡便であり、且つ使い捨てタイプ（ディスポーザブルタイプ）である鼻腔内へのアジュバント等の薬剤を噴霧投与できる、投与装置を提供すること。【解決手段】鼻腔内挿入筒の内部にアジュバント等の薬剤を充填し、該挿入筒内部でスライドするピストン部材を押し下げることにより挿入筒先端に設けた開口部から、充填した薬剤を鼻腔内に噴霧投与されるように構成され、ピストン部材の挿入筒内でのスライドをガイドするガイド部材を、挿入筒上部に設けたことを特徴とする、ディスポーザブルな鼻腔内用薬剤投与装置である。【選択図】図１
0003136169.tif 000002
【実用新案登録請求の範囲】
【請求項１】
鼻腔内挿入筒の内部に薬剤を充填し、該挿入筒内部でスライドするピストン部材を押し下げることにより挿入筒先端に設けた開口部から、充填した薬剤を鼻腔内に噴霧投与されるように構成されたことを特徴とする、デイスポーザブルな薬剤投与装置。
【請求項２】
ピストン部材の挿入筒内でのスライドをガイドするガイド部材を、挿入筒上部に設けたことを特徴とする請求項１に記載の薬剤投与装置。
【請求項３】
ピストン部材を指圧により押し下げられるように端部に円盤状の指圧部を設けたことを特徴とする請求項１又は２に記載の薬剤投与装置。
【請求項４】
前記ピストン部材をガイドするガイド部材が、鼻腔内への挿入筒をカバーするキャップ構造であり、且つ可撓性部材からなることを特徴とする請求項１〜３に記載の薬剤投与装置。
【請求項５】
投与する薬剤が、抗アレルギー薬、抗ぜんそく薬、ワクチン、生理活性ペプチド、アジュバント、モルヒネ、コカインである請求項１〜４に記載の薬剤投与装置。
【考案の詳細な説明】
【技術分野】
【０００１】
本考案は、鼻腔内にワクチン、アジュバント等の薬剤を噴霧投与することを可能とするディスポーザブルな鼻腔内用薬剤投与装置に関する。
【背景技術】
【０００２】
インフルエンザ、ＳＡＲＳ（重症急性呼吸器症候群）等のウイルス、或いは細菌からの感染を防御するために、ワクチンやアジュバントを投与し、生体の免疫機能を高め、生体防御を図ることが行われている。
投与するアジュバントとは、ワクチンや免疫療法に用いられる助剤、免疫強化剤、免疫調整剤とも呼ばれるものであり、一般的には、不活化ワクチンやコンポーネントワクチンに添加される免疫刺激物質のことをいう。
アジュバントは、抗原と混合して生体に投与した場合、免疫原性の弱い抗原でも効果的に抗体を作らせることができ、ワクチンの効果を高めることなる。
【０００３】
これまで知られているワクチン、アジュバント等の投与方法としては、皮下投与（皮下接種）が一般的ではあるが、感染経路が呼吸器感染経路であるインフルエンザ、ＳＡＲＳ等のウイルスに対しては、鼻腔内粘膜投与が効果的なものである。したがって、鼻腔内に噴霧投与するワクチン、アジュバント等の開発が行われている。
しかしながら、鼻腔内投与のためのワクチンを始めとするアジュバント等薬剤の投与装置として、使用に際して簡便であり、且つディスポーザブルタイプのものは登場してきていない。
【０００４】
また、アレルギー性鼻炎などのアレルギー症状に対して投与される抗アレルギー薬、或いはぜんそく症状に対して投与される抗ぜんそく薬も経鼻投与し、生体内吸収を行うのが好ましい場合がある。
更に、経口投与により分解をきたす生理活性ペプチド製剤は注射投与製剤のみに限定されているが、経鼻投与により鼻粘膜からの生体内吸収性を図る検討が行われている。
本考案者は、簡便であり、且つ使い捨てタイプの鼻腔内への薬剤投与装置を開発するべく検討を行い、本考案を完成させるに至った。
【考案の開示】
【考案が解決しようとする課題】
【０００５】
したがって本考案は、簡便であり、且つ使い捨てタイプ（ディスポーザブルタイプ）である、鼻腔内へ薬剤を噴霧投与できる、投与装置を提供することを課題とする。
【課題を解決するための手段】
【０００６】
かかる課題を解決する本考案は、以下の構成からなるものである。
（１）鼻腔内挿入筒の内部に薬剤を充填し、該挿入筒内部でスライドするピストン部材を押し下げることにより挿入筒先端に設けた開口部から、充填した薬剤を鼻腔内に噴霧投与されるように構成されたことを特徴とする、ディスポーザブルな薬剤投与装置；
（２）ピストン部材の挿入筒内でのスライドをガイドするガイド部材を、挿入筒上部に設けたことを特徴とする（１）に記載の薬剤投与装置；
（３）ピストン部材を指圧により押し下げられるように端部に円盤状の指圧部を設けたことを特徴とする（１）又は（２）に記載の薬剤投与装置；
（４）前記ピストン部材をガイドするガイド部材が、鼻腔内への挿入筒をカバーするキャップ構造であり、且つ可撓性部材からなることを特徴とする（１）〜（３）に記載の薬剤投与装置；
（５）投与する薬剤が、抗アレルギー薬、抗ぜんそく薬、ワクチン、生理活性ペプチド、アジュバント、モルヒネ、コカインである（１）〜（４）に記載の薬剤投与装置；
である。
【考案の効果】
【０００７】
本考案により、鼻腔内へ簡便に薬剤を噴霧投与できる薬剤投与装置が提供される。
本考案が提供する薬剤投与装置は、一回〜数回の押圧運動により、装置内に充填されたアジュバント等の薬剤を、効率良く鼻粘膜に噴霧投与することができる。
したがって、インフルエンザウイルス、ＳＡＲＳウイルス等、或いは細菌からの感染を効率良く防止するために、生体の免疫機能を高め、生体防御を図ることが容易に行える利点を有する。
【０００８】
さらに、経口投与により分解をきたす生理活性ペプチドについても、効率良く経鼻吸収させることができ、また、抗アレルギー薬、抗ぜんそく薬なども本考案の薬剤投与装置により、簡便に生体内吸収性を得ることができる点で優れたものである。
【０００９】
また、使い捨て（ディスポーザブル）タイプの薬剤投与装置であることから、薬剤を充填したまま滅菌することが可能であり、衛生的である利点を有している。
【考案を実施するための最良の形態】
【００１０】
本考案は、上記したように、その基本的態様として、鼻腔内挿入筒の内部に薬剤を充填し、該挿入筒内部でスライドするピストン部材を押し下げること（押圧すること）により挿入筒先端に設けた開口部から、充填した薬剤を鼻腔内に噴霧投与されるように構成されたことを特徴とする使い捨て（ディスポーザブル）タイプの薬剤投与装置である。
【００１１】
本考案の装置により投与しうる薬剤としては、特に限定されないが、好ましくは、抗アレルギー薬、抗ぜんそく薬、ワクチン、生理活性ペプチド、アジュバント、モルヒネ、コカイン等である。
これらの薬剤は、凍結乾燥製剤であってもよい。また、薬剤を充填したまま、例えばエチレンオキサイド（ＥＯ）等により、装置ごと滅菌することが可能である。
【００１２】
以下、図面を参照にしながら、本考案を説明する。
図１は、本考案が提供する薬剤投与装置の一実施例を、その側面からみて、模式的に表した図である。
図中、１００は、薬剤投与装置を示し、当該薬剤投与装置１００は、鼻腔内への円形の挿入筒１０の内部１５に、粉末状の薬剤、例えばアジュバント２００を充填しており、該アジュバント２００は、挿入筒１０の内部でスライドするピストン部材５０を押し下げることにより、ピストン部材の先端に設けた摺動キャップ５１の動きにより、挿入筒１０の先端１１に設けた開口部１２から、充填したアジュバント２００を鼻腔内に噴霧投与されるように構成されている。
なお、挿入筒１０の先端１１には、挿入筒内に充填した内容物である薬剤（例えば、アジュバント）の漏れを防止するための封止キャップ２０が装着されている。
【００１３】
かかる構成を有する本考案の薬剤投与装置１００は、ピストン部材５０の挿入筒１０内でのスライドをガイドするガイド部材３０を、挿入筒１０の上部に設けてあり、ピストン部材５０の挿入筒１０内での動きをスムースになるよう構成されている。
【００１４】
このピストン部材５０を、図２に示した。
ピストン部材５０は、挿入筒１０内をスライド可能な太さを有し、その先端部５２に挿入筒１０の内壁に密接して摺動する径を有する、ゴム等で構成された摺動キャップ５１が装着され、他端部には、指でのピストン押圧を容易にし得る円盤状の指圧部５３が設けられている。
【００１５】
図３に、当該ピストン部材５０の挿入筒１０内でのスライドをガイドするガイド部材３０を示した。
ガイド部材３０は、その上端部にピストン部材５０を案内することができる円形の空隙部３１が設けられると共に、その下端部においては、挿入筒１０と嵌合固定し得る爪３４が数カ所設けられている。
また、その高さａは、挿入筒１０内に充填されたアジュバント等の薬剤を押圧噴霧しうるピルトン運動を可能とするに充分な高さであればよい。
【００１６】
図４に、挿入筒１０を、その先端部１１に設けた開口部１２に装着される封止キャップ２０と共に示した。
本実施例においては、挿入筒１０の上部にガイド部材３０に設けられた複数の爪３４を嵌合固定するのに対応する孔を設けた縁部１８を有し、挿入筒１０の径よりも大きめの径を有する円形板１６が一体に構成されている。
なお、この円形板１６は、本考案の薬剤投与装置１００を用いてアジュバント等の薬剤を鼻腔内部に噴霧投与する際に、例えば、人差し指及び中指で挟んでピストン部材５０の指圧部５３を親指で押圧するべく、好適なものとなっている。
【００１７】
以上の構成に基づく本考案の薬剤投与装置は、その材料としては挿入筒１０、ピストン部材５０の両者は硬質プラスチックで構成され、ガイド部材３０は、軟質プラスチックで構成されている。
特に、ガイド部材３０が軟質プラスチックで構成されているために、ピストン部材５０の押圧がスムースに行えると共に、挿入筒内に充填されたアジュバント等の薬剤を噴霧投与した後に、ガイド部材が元の形状に戻る作用が働き、一回の押圧によりアジュバント等の薬剤が完全に噴霧できなかった場合であっても、更に数回の押圧運動が可能となっており、充填されている薬剤を無駄なく、鼻腔内へ噴霧投与することができるものとなっている。
【００１８】
本考案に基づく薬剤投与装置を使用して、鼻腔内へアジュバント等の薬剤を噴霧投与する場合は、挿入筒１０の先端部に装着された封止キャップを取り除き、挿入筒を鼻腔内に挿入し、装置自体を、例えば人差し指及び中指で挟み、ピストン部材５０の指圧部５３を親指で強く押圧することにより、挿入筒内部でピストン部材が押し下げられ、それにより挿入筒先端に設けた開口部から、充填したアジュバント等の薬剤を鼻腔内に噴霧投与される。
押し下げられたピストン部材は、ガイド部材の働きにより元の位置にまで戻ることから、一回の押圧により薬剤が完全に噴霧できなかった場合であっても、更に数回の押圧運動が可能となり、充填された薬剤を完全に鼻腔内へ噴霧投与することができる。
【００１９】
本考案が提供する薬剤投与装置は、一般的にヒトの鼻腔内へ投与することを目的として構成されることより、その大きさは、ヒトの鼻腔内への挿入しうる大きさであればよい。
なお、牛等の家畜の鼻腔内への投与も可能であり、その場合には、かかる家畜への適用を可能とする大きさに構成すればよい。
【００２０】
したがって、上記で説明した本考案が提供する薬剤投与装置は、ヒトの鼻腔内部へのアジュバント等の薬剤の噴霧投与を目的として実施例であるが、その目的を変更しない限り種々の変形が可能であり、かかる変形も本考案の技術的範囲内に包含されるものである。
【００２１】
なお、本考案が提供する鼻腔内用薬剤投与装置は、各種薬剤を充填した後、そのまま滅菌することも可能であり、特に凍結乾燥して得た薬剤をそのまま充填し、容器毎の滅菌が可能となっている点で、特に優れたものといえる。
【産業上の利用可能性】
【００２２】
以上記載のように、本考案により、鼻腔内へ簡便にアジュバント等の薬剤を噴霧投与できる薬剤投与装置が提供され、一回〜数回の押圧運動により、投与装置内に充填されたアジュバント等の薬剤を効率良く鼻粘膜に噴霧投与することができる。
したがって、インフルエンザウイルス、ＳＡＲＳウイルス等、或いは細菌からの感染を効率良く防止するために、生体の免疫機能を高め、生体防御を図ることが容易に行える点で、産業上の利用性は多大なものである。
【図面の簡単な説明】
【００２３】
【図１】本考案の薬剤投与装置１００の一実施例を、その側面からみた模式図である。
【図２】本考案の薬剤投与装置１００を構成するピストン部材５０を、摺動キャップ５１と共に示した図である。
【図３】本考案の薬剤投与装置１００を構成するガイド部材３０を示した図である。
【図４】本考案の薬剤投与装置１００を構成する挿入筒１０を、封止キャップ２０と共に示した図である。
【符号の説明】
【００２４】
１００    薬剤投与装置
１０      挿入筒
３０      ガイド部材
５０      ピストン部材
２００    薬剤（アジュバント）
【図１】
0003136169.tif 000003
【図２】
0003136169.tif 000004
【図３】
0003136169.tif 000005
【図４】
0003136169.tif 000006
【手続補正書】
【提出日】平成19年8月15日(2007.8.15)
【手続補正１】
【補正対象書類名】実用新案登録請求の範囲
【補正対象項目名】全文
【補正方法】変更
【補正の内容】
【実用新案登録請求の範囲】
【請求項１】
鼻腔内挿入筒の内部に薬剤を充填し、該挿入筒内部でスライドするピストン部材を押し下げることにより挿入筒先端に設けた開口部から、充填した薬剤を鼻腔内に噴霧投与されるように構成されたことを特徴とする、デイスポーザブルな薬剤投与装置。
【請求項２】
ピストン部材の挿入筒内でのスライドをガイドするガイド部材を、挿入筒上部に設けたことを特徴とする請求項１に記載の薬剤投与装置。
【請求項３】
ピストン部材を指圧により押し下げられるように端部に円盤状の指圧部を設けたことを特徴とする請求項１又は２に記載の薬剤投与装置。
【請求項４】
前記ピストン部材をガイドするガイド部材が、鼻腔内への挿入筒をカバーするキャップ構造であり、且つ可撓性部材からなることを特徴とする請求項１〜３のいずれか一項に記載の薬剤投与装置。
【請求項５】
投与する薬剤が、抗アレルギー薬、抗ぜんそく薬、ワクチン、生理活性ペプチド、アジュバント、モルヒネ、コカインである請求項１〜４のいずれか一項に記載の薬剤投与装置。